(57)【要約】【課題】遠心分離式の集塵部を備えた電気掃除機において、比重が軽くて体積の大きい繊維性の塵埃も確実に集塵できることを目的とする。【解決手段】集塵部１３は、吸気口２０を有する第一の集塵室１３Ａと、前記第一の集塵室１３Ａを通過した後の塵埃を吸引風と遠心分離する遠心分離室１３Ｃとから構成されてなるとともに、前記第一の集塵室１３Ａの吸気下流側に第一のフィルター１３Ｅと、前記遠心分離室１３Ｃの吸気下流側に第二のフィルター１３Ｆとを設け、前記第一のフィルター１３Ｅの空気通過抵抗を前記第二のフィルター１３Ｆの空気通過抵抗より小さくしてなるもの。【選択図】　図３
2004141313.tif 000002
【特許請求の範囲】
【請求項１】
吸引風を発する電動送風機と、前記電動送風機と連通し塵埃を吸引する吸込具と、前記吸引した塵埃を吸引風と分離および捕集する集塵部とを備え、前記集塵部は、前記吸込具からの吸引風が流入する吸気口を有する第一の集塵室と、前記第一の集塵室を通過した後の塵埃を吸引風と遠心分離する遠心分離室とから構成されてなるとともに、前記第一の集塵室の吸気下流側に第一のフィルターと、前記遠心分離室の吸気下流側に第二のフィルターとを設け、前記第一のフィルターの空気通過抵抗を前記第二のフィルターの空気通過抵抗より小さくしてなる電気掃除機。
【請求項２】
第一のフィルターは多孔質で形成されてなる請求項１記載の電気掃除機。
【請求項３】
第一のフィルターの少なくとも第一の集塵室に対向する側の表面は、凹凸がなく平面状なる請求項１または２記載の電気掃除機。
【請求項４】
第一のフィルターを、メッシュフィルターにて構成し、表面をカレンダー加工することで、凹凸をなくした請求項３記載の電気掃除機。
【請求項５】
第一のフィルターが有する孔を、パンチングにて形成した請求項２記載の電気掃除機。
【請求項６】
第一のフィルターを、樹脂成形品と一体に成形して構成した請求項１〜５のいずれか１項に記載の電気掃除機。
【請求項７】
第一のフィルターを、樹脂材料にて形成した請求項１〜６のいずれか１項に記載の電気掃除機。
【請求項８】
第一のフィルターを、金属材料にて形成した請求項１〜６のいずれか１項に記載の電気掃除機。
【請求項９】
第一のフィルターは、プリーツ状の起伏部を有する形状をなす請求項１または２記載の電気掃除機。
【請求項１０】
プリーツ状の起伏部の頂点部付近に孔を形成した請求項９記載の電気掃除機。
【請求項１１】
孔を第一の集塵室側に起伏が入り込む頂点部付近または反第一の集塵室側に起伏が入り込む頂点部付近に形成した請求項１０記載の電気掃除機。
【請求項１２】
第一のフィルターの孔の大きさを部分的に変化させ構成した請求項２、５、１０、１１のいずれか１項に記載の電気掃除機。
【請求項１３】
第一のフィルターにより捕集された塵埃を蓄積する第一の集塵室と、遠心分離室にて吸引風と遠心分離された塵埃を蓄積する第二の集塵室とを備え、前記第一の集塵室と前記第二の集塵室とは区画して形成されてなる請求項１〜１２のいずれか１項に記載の電気掃除機。
【発明の詳細な説明】
【０００１】
【発明の属する技術分野】
本発明は、吸気を旋回して塵埃を分離する遠心分離式の集塵部を備えた電気掃除機に関するものである。
【０００２】
【従来の技術】
従来の遠心分離式集塵部を有した電気掃除機においては、吸塵されて遠心分離式集塵部にて分離された塵埃は、遠心分離式集塵部内の旋回気流の影響を受けながら、単純にその集塵部下方に蓄積していく構成のものであった（例えば、特許文献１、特許文献２参照。）。
【０００３】
【特許文献１】
特開平９−２５３０１１号公報
【特許文献２】
特開２０００−３４２４９２号公報
【０００４】
【発明が解決しようとする課題】
ところがこのような遠心分離式集塵部を有した電気掃除機においては、粉、砂等の細塵を分離するのにはその遠心分離式の特質を十分に発揮できるが、比重が軽くて体積の大きい繊維性の塵埃は、分離効果が悪く、排気空気中に含まれる欠点があった。
【０００５】
本発明は上記課題を解決するもので、遠心分離式の集塵部を備えた電気掃除機において、比重が軽くて体積の大きい繊維性の塵埃も確実に集塵できることを目的とする。
【０００６】
【課題を解決するための手段】
上記目的を達成するために本発明は、吸引風を発する電動送風機と、前記電動送風機と連通し塵埃を吸引する吸込具と、前記吸引した塵埃を吸引風と分離および捕集する集塵部とを備え、前記集塵部は、前記吸込具からの吸引風が流入する吸気口を有する第一の集塵室と、前記第一の集塵室を通過した後の塵埃を吸引風と遠心分離する遠心分離室とから構成されてなるとともに、前記第一の集塵室の吸気下流側に第一のフィルターと、前記遠心分離室の吸気下流側に第二のフィルターとを設け、前記第一のフィルターの空気通過抵抗を前記第二のフィルターの空気通過抵抗より小さくしてなるもので、遠心分離室に吸引風が流入する前に、第一のフィルターにて、比重が軽くて体積の大きい繊維性の塵埃を捕集して第一の集塵室に蓄積できるため、排気空気中に比重が軽くて体積の大きい繊維性の塵埃が含まれることを防止でき、使い勝手を向上できる。
【０００７】
【発明の実施の形態】
請求項１に記載の発明は、吸引風を発する電動送風機と、前記電動送風機と連通し塵埃を吸引する吸込具と、前記吸引した塵埃を吸引風と分離および捕集する集塵部とを備え、前記集塵部は、前記吸込具からの吸引風が流入する吸気口を有する第一の集塵室と、前記第一の集塵室を通過した後の塵埃を吸引風と遠心分離する遠心分離室とから構成されてなるとともに、前記第一の集塵室の吸気下流側に第一のフィルターと、前記遠心分離室の吸気下流側に第二のフィルターとを設け、前記第一のフィルターの空気通過抵抗を前記第二のフィルターの空気通過抵抗より小さくしてなるもので、前記第一のフィルターの空気通過抵抗を前記第二のフィルターの空気通過抵抗より小さくしている、つまり第一のフィルターを形成している通過孔の大きさを第二のフィルターを形成している通過孔の大きさより大きくしているため、遠心分離室に吸引風が流入する前に、第一のフィルターにて、比重が軽くて体積の大きい繊維性の塵埃を捕集して第一の集塵室に蓄積できるため、排気空気中に比重が軽くて体積の大きい繊維性の塵埃が含まれることを防止でき、使い勝手を向上できる。
【０００８】
遠心分離効果が不十分な小質量の塵埃、テッシュのように軽く面積の大きい塵埃、髪の毛のように軽く長い塵埃を第一の集塵室の吸気下流側の第一のフィルターにより集塵でき、それ以外の塵埃は第一のフィルターを通過し、遠心分離室にて遠心分離により集塵されるもので、遠心分離室の吸気上流側にて遠心分離し難い塵埃を第一のフィルターにて捕集できるため、遠心分離室の遠心分離効果による排気の清潔さを生かすことができる。
【０００９】
請求項２に記載の発明は、第一のフィルターは多孔質で形成されてなるもので、簡単かつ容易に、第一のフィルターの空気通過抵抗を前記第二のフィルターの空気通過抵抗より大きく構成できる。
【００１０】
請求項３に記載の発明は、第一のフィルターの少なくとも第一の集塵室に対向する側の表面は、凹凸がなく平面状なるもので、第一のフィルターの第一の集塵室側、すなわち、塵埃と接触している側の表面の凹凸を無くすことで、第一のフィルターに塵埃が絡み付きが無く、塵埃の第一のフィルターからの塵離れが良いため、第一の集塵室内の塵埃を破棄する際に、塵埃が第一の集塵室容器内から離脱し易く塵埃の破棄性の向上を行うことができる。
【００１１】
請求項４に記載の発明は、第一のフィルターを、メッシュフィルターにて構成し、表面をカレンダー加工することで、凹凸をなくしたもので、繊維状のものを編み込んだメッシュフィルターを用いることで、第一のフィルターの強度を上げることができ、さらに、カレンダー加工を行い表面の凹凸を無くすことにより、塵埃の塵離れ性を確保したもので、第一の集塵室内の塵埃を破棄する際に、塵埃が第一の集塵室容器内から離脱し易く、塵埃の破棄性の向上を行うとともに、強度確保を行い耐久性の向上を行うことができる。
【００１２】
請求項５に記載の発明は、第一のフィルターが有する孔を、パンチングにて形成したもので、パンチングにより孔を形成することにより、確実に凹凸がなくせるため、さらに塵埃の塵離れ性の確保ができるため、第一の集塵室内の塵埃を破棄する際に、塵埃が集塵容器内から離脱し易く、塵埃の破棄性の向上を行うことができる。
【００１３】
請求項６に記載の発明は、第一のフィルターを、樹脂成形品と一体に成形して構成したもので、樹脂成形品と一体的に成形することにより、第一のフィルターと第一の集塵室を形成する部品間の部品ばらつきによる隙間が生じることがない。そのため、確実に第一のフィルターにて、繊維質や綿成分が多い塵埃、テッシュのように軽く面積の大きい塵埃、髪の毛のように軽く長い塵埃を捕集することができ使用性の向上ができるものである。
【００１４】
請求項７に記載の発明は、第一のフィルターを、樹脂材料にて形成したもので、樹脂材料により構成することで、第一の集塵室に塵埃が捕集され、さらに電動送風機の吸引がかかることにより、樹脂材料にて構成された第一のフィルターが吸気下流側に撓むことにより、見掛け上第一の集塵室の容積が増し、第一の集塵室に捕集できる塵埃の容積を増すことができるため、塵埃を破棄する頻度を少なくすることができ使用性が向上できる。
【００１５】
請求項８に記載の発明は、第一のフィルターを、金属材料にて形成したもので、金属にて構成することにより、表面の摩擦係数が減少するため、塵埃の塵離れ性を向上することができるため、第一の集塵室内の塵埃を破棄する際に、塵埃が集塵容器内から離脱し易く、塵埃の破棄性の向上を行うことができる。
【００１６】
請求項９に記載の発明は、第一のフィルターは、プリーツ状の起伏部を有する形状をなすもので、第一のフィルターを配置する決められた容積内で、第一のフィルターの表面積を増加させることで、第一のフィルターの圧損を低下させ、より強い吸い込み力を確保することができ、使用性の向上を行うことができる。
【００１７】
請求項１０〜１２に記載の発明は、プリーツ状の起伏部の頂点部付近に孔を形成したもので、孔を第一の集塵室側に起伏が入り込む頂点部付近に形成した場合には、吸引により第一のフィルター全体が、前記第一の集塵室内に蓄積されている塵埃と離れる方向に変形することで、前記第一の集塵室内に蓄積されている塵埃と第一のフィルターとの接触面積を減少させることができる。これにより、第一のフィルターからの塵埃の塵離れ性を向上でき、第一の集塵室内の塵埃を破棄する際に、塵埃が第一の集塵容器内から離脱し易く、塵埃の破棄性の向上をすることができる。
【００１８】
また、孔を反第一の集塵室側に起伏が入り込む頂点部付近に形成した場合には、第一のフィルターを配置する決められた容積内で、第一のフィルターの表面積を増加させることができ、さらに、反第一の集塵室側に入り込んだ起伏部の奥まで塵埃の捕集が行え、決められた容積内に隙間無く塵埃の捕集ができることで、塵埃を破棄する頻度を少なくすることができ、使用性を向上できる。
【００１９】
また、第一のフィルターの孔の大きさを部分的に変化させることで、集塵室内に捕集される塵埃の視認性向上を行えるものである。すなわち、孔を大きくする部分と小さくする部分を作り、孔の大きい部分は圧損が少なく、逆に孔の小さな部分は圧損が大きい、このため、吸引風に運ばれた塵埃はまず、孔の大きい側に流れ捕集される。さらに、捕集を続けると孔の大きい側から小さい側へと順番に捕集され、使用者の視認性の良い位置に最後に捕集させることができ、使用性が向上できる。
【００２０】
請求項１３に記載の発明は、第一のフィルターにより捕集された塵埃を蓄積する第一の集塵室と、遠心分離室にて吸引風と遠心分離された塵埃を蓄積する第二の集塵室とを備え、前記第一の集塵室と前記第二の集塵室とは区画して形成されてなるもので、一般家庭における塵埃の成分比率に基づいて、前記各集塵室の容積をそれぞれ設定でき、コンパクトな集塵部を有効に活用できるものである。
【００２１】
【実施例】
以下、本発明の実施例について、図面を参照しながら説明する。
【００２２】
（実施例１）
図１に示すように、掃除機本体１は、手元ハンドル２とホース継ぎ手３付きのホース４とを介して延長管５を連結し、延長管５に取り付けた塵埃を吸引する吸込具６に連通している。また、掃除機本体１は、枢支された１個の前輪キャスター７と一対の後輪８とを備えている。
【００２３】
この掃除機本体１は、図２に示すように、下本体９と上本体１０と本体前カバー１１と本体後カバー１２と集塵ケース１３とで外郭を構成している。また、本実施例のように、集塵ケース１３を覆うカバー１４を設けたものもある。電動送風機１５は、吸引風を発するもので、前方を第１サポートゴム１６で支持し、後方を第２サポートゴム１７を介して、第１モータカバー１８と第２モータカバー１９により支持して下本体９に装着し、上本体１０により固定するようにしている。
【００２４】
図２、図３に示すように、集塵部である集塵ケース１３は、吸気口２０を有した第一の集塵室１３Ａとこの第一の集塵室１３Ａに開閉自在に係止した集塵ケース蓋１３Ｂと、第一の集塵室１３Ａに重合して配置されてなる遠心分離室１３Ｃとで構成されている。なお、本実施例では、前記第一の集塵室１３Ａの上方に遠心分離室１３Ｃが配置されている。第一の集塵室１３Ａと遠心分離室１３Ｃとの間には空気通路部分１３Ｄが設けられている。１３Ｅは空気通路部分１３Ｄを分断し、かつ第一の集塵室１３Ａの一部、または全面の壁面を構成するように配置された第一のフィルターである。次に１３Ｆは、前記第一のフィルター１３Ｅの空気通過抵抗より空気通過抵抗を大きくした、つまり第一のフィルター１３Ｅを形成している通過孔の大きさより通過孔の大きさを小さくしてある第二のフィルターであり、１３Ｇは遠心分離室１３Ｃを密空間にするサイクロン蓋体である。サイクロン蓋体１３Ｇはタイトパッキン１３Ｈ、第二のフィルター２３を有したもので、タイトパッキン１３Ｈは、集塵ケース１３と本体とのエアータイトを行うものである。次に１３Ｉはパッキン体で、第一の集塵室１３Ａと遠心分離室１３Ｃとのエアータイトをおこなうものである。また、１３Ｊは蓋パッキンであり集塵ケース蓋１３Ｂに固定され、第一の集塵室１３Ａとのエアータイトを行うものである。ここで、第一のフィルター１３Ｅの表面は両面、もしくは第一の集塵室１３Ａ側に凹凸が無く構成されたもので、図４のように、繊維を織ったメッシュフィルターをカレンダー加工を行い表面の凹凸を無くしたもの、または、図５のように平板状のものに、パンチング加工を行った表面に凹凸の無いもので多数の孔２１を有したもので構成したものである。また、金属もしくは表面を金属処理したものである。
【００２５】
上記構成において動作を説明する。
【００２６】
まず、吸気気流は電動送風機１５が運転されると吸込具６より、図２および図３の矢印で示すように、吸気口２０より流入して第一の集塵室１３Ａに流入する。次に、空気通路部分１３Ｄを通り、遠心分離室１３Ｃに流入し、第二のフィルター１３Ｆ、サイクロン蓋１３Ｇを通り、電動送風機１５へと流入する。次に、吸気気流と同時に流入される塵埃は吸気気流と同じ経路をたどるが、まず、第一の集塵室１３Ａに流入され、第一のフィルター１３Ｅを通る際に、塵埃は第一のフィルター１３Ｅの孔の大きさより大きい粗塵は第一のフィルター１３Ｅに捕集される。第一のフィルター１３Ｅを通り抜けた細塵は、空気通路部分１３Ｄから遠心分離室１３Ｃに流入され、サイクロンの遠心分離効果にて第二の集塵室である細塵室２２に捕集されるのである。このように、粗塵は第一の集塵室１３Ａに捕集され、細塵は遠心分離室１３Ｃに連通した第二の集塵室である細塵室２２にて捕集される。前記第一の集塵室１３Ａと前記第二の集塵室である細塵室２２は同一のケース内に左右方向に区画して設けられており、塵埃の破棄は、回動自在な集塵ケース蓋１３Ｂが開放されることで破棄を行うものである。
【００２７】
遠心分離効果が不十分な小質量の塵埃、テッシュのように軽く面積の大きい塵埃、髪の毛のように軽く長い塵埃は、第一の集塵室１３Ａの吸気下流側の第一のフィルター１３Ｅにより集塵でき、それ以外の塵埃は第一のフィルター１３Ｅを通過し空気通路部分１３Ｄを通過し、第二の集塵室である遠心分離室１３Ｃにて遠心分離により集塵されるものである。これにより、遠心分離室１３の前方にて遠心分離し難い粗塵を、第一のフィルター１３Ｅにて捕集できるため、サイクロン集塵の遠心分離効果による排気の清潔さを生かし、吸込具より吸引する空気の流れにより遠心分離されて塵埃収容室に収容されている塵埃を少量の塵埃の吸引で早期に吸込性能が低下することがないようにし、塵埃収容室内の塵埃を廃棄する頻度を少なくして使い勝手の向上を行うことが出来る。またさらに、第一の集塵室１３Ａに捕集された、塵埃を破棄する際には、第一のフィルター１３Ｅをカレンダー加工のメッシュフィルターやパンチング加工品にて構成することで第一の集塵室１３Ａ側、すなわち、塵埃と接触している側の表面の凹凸を無くすことができることで、第一のフィルター１３Ｅに塵埃の絡み付きが無く塵埃の第一のフィルター１３Ｅからの塵離れが良い、そのため、第一の集塵室１３Ａ内の塵埃を破棄する際に塵埃が、第一の集塵室１３Ａを形成する容器内から離脱し易く塵埃の破棄性の向上を行うことができる。さらに、金属、金属表面処理したもので構成することにより表面の摩擦係数が減少するため、塵埃の塵離れ性をさらに向上することができ、さらに塵埃の塵離れ性の確保が出来るものである。
【００２８】
また、図６に示すように、第一の集塵室１３Ａを形成する樹脂部品と第一のフィルター１３Ｅとを一体に構成したものである。すなわち、第一の集塵室１３Ａの成形部品で第一のフィルター１３Ｅを構成したもので、成形による孔を構成したものである。また、第一のフィルター１３Ｅを第一の集塵室１３Ａにインサート成形する方法もある。樹脂成形品と一体的に成形することにより、第一のフィルター１３Ｅと第一の集塵室１３Ａを形成する部品間の部品ばらつきによる隙間が生じることが無いため、確実に第一のフィルター１３Ｅにて、繊維質や綿成分が多い塵埃、テッシュのように軽く面積の大きい塵埃、髪の毛のように軽く長い塵埃を捕集することができ使用性、性能の向上ができるものである。
【００２９】
（実施例２）
第一のフィルター１３Ｅを樹脂材料にて構成したものである。なお、上記実施例と同一構成部品については同一符号を付してその説明を省略する。
【００３０】
上記構成による作用は以下の通りである。
【００３１】
図７に示すように、樹脂材料により構成することで、第一の集塵室１３Ａに塵埃が捕集され、さらに電動送風機１５の吸引がかかることにより、樹脂材料にて構成された第一のフィルター１３Ｅは下流側、すなわち空気通路部分１３Ｄ側に撓む（図７で通常位置アからイに撓む）、撓むことにより見掛け上第一の集塵室１３Ａの容積が増したことにより第一の集塵室１３Ａに捕集できる塵埃の容積を増すことができる。（図７で斜線部ウ）これにより本体を小型化でき、塵埃を捕集できる容積を増すことが可能となり、塵埃を破棄する頻度を少なくすることができ、本体小型化による使用性向上と、塵埃を破棄する頻度を少なくする使用性の向上ができるものである。
【００３２】
（実施例３）
図８、図９に示すように、第一のフィルター１３Ｅの形状をプリーツ状に起伏を形成し構成したものである。なお、上記実施例と同一構成部品については同一符号を付してその説明を省略する。
【００３３】
上記構成による作用は以下の通りである。
【００３４】
第一のフィルター１３Ｅに起伏を持たせることにより、第一のフィルター１３Ｅを配置する決められた面積内で、第一のフィルター１３Ｅの表面積を増加させ、第一のフィルター１３Ｅの圧損を低下させより強い吸い込み力を確保することができ、使用性の向上を行うことができるものである。
【００３５】
（実施例４）
図１０に示すように、第一のフィルター１３Ｅの形状をプリーツ状に起伏を形成し構成したもので、第一の集塵室１３Ａ側に入り込んでいる起伏の略頂点部に、孔２１を形成したものである。なお、上記実施例と同一構成部品については同一符号を付してその説明を省略する。
【００３６】
上記構成による作用は以下の通りである。
【００３７】
第一の集塵室側１３Ａに入り込んでいる起伏の略頂点部に、孔２１を形成することで、図１０の矢印のように、第一の集塵室１３Ａ側に入り込んでいる起伏の略頂点部に常に吸引が作用するため、塵埃は第一の集塵室１３Ａ側に入り込んでいる起伏の略頂点に付着し、逆に反第一の集塵室１３Ａ側に入り込んでいる起伏の略頂点部の裏側（図１０斜線部分）に付着する塵埃が減少する。これにより、塵埃と第一のフィルター１３Ｅとの接触面積を減少させることができ、さらに第一のフィルター１３Ｅからの塵埃の塵離れ性を向上でき、第一の集塵室１３Ａ内の塵埃を破棄する際に、塵埃が第一の集塵室１３Ａを形成する容器内から離脱し易く塵埃の破棄性の向上をすることができる。
【００３８】
（実施例５）
図１１に示すように、第一のフィルター１３Ｅの形状をプリーツ状に起伏を形成し構成したもので、反第一の集塵室１３Ａ側に入り込んでいる起伏の略頂点部に、孔２１を形成したものである。なお、上記実施例と同一構成部品については同一符号を付してその説明を省略する。
【００３９】
上記構成による作用は以下の通りである。
【００４０】
反第一の集塵室１３Ａ側に入り込んでいる起伏の略頂点部に、孔２１を形成することで、第一のフィルター１３Ｅを配置する決められた面積内で、第一のフィルター１３Ｅの表面積を増加させ、反第一の集塵室１３Ａ側に入り込んでいる起伏の略頂点部に、孔２１を形成することで、確実に第一のフィルター１３Ｅの、反第一の集塵室１３Ａ側に入り込んでいる起伏の略頂点部の裏側部分の奥まで塵埃を捕集が行え、決められた容積内に隙間無く塵埃の捕集ができ、塵埃を破棄する頻度を少なくすることができ、塵埃を破棄する頻度を少なくする使用性の向上ができるものである。
【００４１】
（実施例６）
図１２に示すように、第一のフィルター１３Ａの、孔２１の大きさを部分的に変化させ構成したものである。図１２のように、エ部分を小孔２１Ａ、オ部分を中孔２１Ｂ、カ部分を大孔２１Ｃとしたものである。なお、上記実施例と同一構成部品については同一符号を付してその説明を省略する。
【００４２】
上記構成による作用は以下の通りである。
【００４３】
孔２１の大きさを部分的に変化させることで、集塵室内に捕集される塵埃の視認性向上を行えるものである。すなわち、孔２１をカ部分のように大きくする部分とエ部分のようにと小さくする部分を作る。孔２１の大きさにより、カ部分は圧損が少なく、逆に孔の小さなエ部分は圧損が大きいというように圧損差が生じる。これによって吸引風に運ばれた塵埃はまず、孔の大きいカ部分に流れ（矢印キ）捕集される。さらに捕集を続けるとカ部分に塵埃が付着しカ部分の圧損が増す。これにより次にオ部分（矢印ク）、次にエ部分（矢印ケ）と順番に捕集される。使用者の視認性の良い位置が最後に捕集することができ、使用性の向上を行うことができるものである。
【００４４】
【発明の効果】
以上のように本発明によれば、遠心分離式の集塵部を備えた電気掃除機において、比重が軽くて体積の大きい繊維性の塵埃も確実に集塵できる。
【図面の簡単な説明】
【図１】本発明の第１の実施例を示す電気掃除機の全体図
【図２】同掃除機本体の側断面図
【図３】図２のＡ−Ａ断面図
【図４】（ａ）図３のＢ矢視図
（ｂ）図４（ａ）のＣ−Ｃ断面図
【図５】（ａ）図３の他の一次フィルターのＢ矢視図
（ｂ）図５（ａ）のＤ−Ｄ断面図
【図６】図３のｅ部の部分拡大断面図
【図７】本発明の第２の実施例を示す図２のＡ−Ａ断面図
【図８】本発明の第３の実施例を示す図２のＡ−Ａ断面図
【図９】同第一のフィルターの部分拡大断面図
【図１０】本発明の第４の実施例を示す第一のフィルターの部分拡大断面図
【図１１】本発明の第５の実施例を示す第一のフィルターの部分拡大断面図
【図１２】本発明の第６の実施例を示す集塵ケースの部分拡大断面図
【符号の説明】
１３　集塵ケース
１３Ａ　第一の集塵室
１３Ｂ　集塵ケース蓋
１３Ｃ　遠心分離室
１３Ｄ　空気通路部分
１３Ｅ　第一のフィルター
１３Ｆ　第二のフィルター
１３Ｇ　サイクロン蓋体
２０　吸気口
２１　孔
２２　細塵室
【図１】
2004141313.tif 000003
【図２】
2004141313.tif 000004
【図３】
2004141313.tif 000005
【図４】
2004141313.tif 000006
【図５】
2004141313.tif 000007
【図６】
2004141313.tif 000008
【図７】
2004141313.tif 000009
【図８】
2004141313.tif 000010
【図９】
2004141313.tif 000011
【図１０】
2004141313.tif 000012
【図１１】
2004141313.tif 000013
【図１２】
2004141313.tif 000014